(57)【要約】      （修正有）【課題】レンズ系全体がコンパクトで、広画角、高ズーム比で、全ズーム範囲で高い光学性能が得られるズームレンズを提供する。【解決手段】物体側から像側へ順に、負の屈折力の第１レンズ群Ｂ１、正の屈折力の第２レンズ群Ｂ２、通過光束を制限する光束制限部材Ｐ、正の屈折力の第３レンズ群Ｂ３からなり、広角端に比べて望遠端において、前記第１レンズ群と前記第２レンズ群との間隔が狭くなり、前記第２レンズ群と前記第３レンズ群との間隔が広くなるように各レンズ群が移動するズームレンズにおいて、広角端における前記第２レンズ群と前記光束制限部材との間隔をδ２ａｗ、全ズーム範囲における前記第２レンズ群と前記光束制限部材との間隔の最大値をδ２ａｉとするとき、０．０１＜｜δ２ａｉ−δ２ａｗ｜／δ２ａｉ＜０．９９なる条件式を満たす。【選択図】図１
2014134702.tif 000002
【特許請求の範囲】
【請求項１】
物体側から像側へ順に、負の屈折力の第１レンズ群、正の屈折力の第２レンズ群、通過光束を制限する光束制限部材、正の屈折力の第３レンズ群からなり、
広角端に比べて望遠端において、前記第１レンズ群と前記第２レンズ群との間隔が狭くなり、前記第２レンズ群と前記第３レンズ群との間隔が広くなるように各レンズ群が移動するズームレンズにおいて、
広角端における前記第２レンズ群と前記光束制限部材との間隔をδ２ａｗ、全ズーム範囲における前記第２レンズ群と前記光束制限部材との間隔の最大値をδ２ａｉとするとき、
０．０１＜｜δ２ａｉ−δ２ａｗ｜／δ２ａｉ＜０．９９
なる条件式を満たすことを特徴とするズームレンズ。
【請求項２】
広角端におけるレンズ全長をＴＤｗ、広角端における前記光束制限部材から像面までの空気換算距離をＬａｗとするとき、
０．１＜Ｌａｗ／ＴＤｗ＜０．３
なる条件式を満たすことを特徴とする請求項１に記載のズームレンズ。
【請求項３】
広角端から望遠端へのズーミングにおける前記第２レンズ群の移動量をｍ２、広角端から望遠端へのズーミングにおける前記光束制限部材の移動量をｍａとするとき、
０．６０＜ｍａ／ｍ２＜０．９５
なる条件式を満たすことを特徴とする請求項１又は２に記載のズームレンズ。
【請求項４】
前記第１レンズ群の焦点距離をｆ１、前記第２レンズ群の焦点距離をｆ２、広角端における全系の焦点距離をｆｗとするとき、
０．４＜√（｜ｆ１｜×ｆｗ）／ｆ２＜０．８
なる条件式を満たすことを特徴とする請求項１乃至３のいずれか１項に記載のズームレンズ。
【請求項５】
前記第１レンズ群の焦点距離をｆ１、前記第２レンズ群の焦点距離をｆ２とするとき、
０．７＜｜ｆ１｜／ｆ２＜１．１
なる条件式を満たすことを特徴とする請求項１乃至４のいずれか１項に記載のズームレンズ。
【請求項６】
前記第３レンズ群は１つの正レンズＧ３１で構成され、前記正レンズＧ３１の物体側と像側のレンズ面の曲率半径を各々Ｒ３ａ，Ｒ３ｂとするとき、
−０．５＜（Ｒ３ａ＋Ｒ３ｂ）／（Ｒ３ａ−Ｒ３ｂ）＜１．０
なる条件式を満たすことを特徴とする請求項１乃至５のいずれか１項に記載のズームレンズ。
【請求項７】
前記第１レンズ群は、物体側より像側へ順に、負レンズＧ１１、正レンズＧ１２からなり、前記負レンズＧ１１の焦点距離をｆ１１、前記正レンズＧ１２の焦点距離をｆ１２とするとき、
０．２＜｜ｆ１１｜／ｆ１２＜０．５
なる条件式を満たすことを特徴とする請求項１乃至６のいずれか１項に記載のズームレンズ。
【請求項８】
望遠端における前記第２レンズ群の最も物体側のレンズの物体側のレンズ面から像面までの空気換算距離をＬ２ｔ、望遠端における前記光束制限部材から像面までの空気換算距離をＬａｔ、望遠端におけるレンズ全長をＴＤｔとするとき、
０．０１＜（Ｌ２ｔ−Ｌａｔ）／ＴＤｔ＜０．５０
なる条件式を満たすことを特徴とする請求項１乃至７のいずれか１項に記載のズームレンズ。
【請求項９】
広角端から望遠端へのズーミングに際し、前記第１レンズ群は像側に凸状の軌跡で移動し、前記第２レンズ群と前記光束制限部材は互いに異なった軌跡で物体側へ移動し、前記第３レンズ群は像側へ移動することを特徴とする請求項１乃至８のいずれか１項に記載のズームレンズ。
【請求項１０】
前記光束制限部材は開口絞りを兼ねていることを特徴とする請求項１乃至９のいずれか１項に記載のズームレンズ。
【請求項１１】
ズーミングに際して前記第２レンズ群と一体的に移動する開口絞りを有することを特徴とする請求項１乃至９のいずれか１項に記載のズームレンズ。
【請求項１２】
請求項１乃至１１のいずれか１項に記載のズームレンズと該ズームレンズによって形成された像を受光する撮像素子を有することを特徴とする撮像装置。
【発明の詳細な説明】
【技術分野】
【０００１】
本発明はズームレンズに関し、例えばデジタルスチルカメラ、ビデオカメラ、ＴＶカメラ、監視用カメラ等の撮像装置に好適なものである。
【背景技術】
【０００２】
最近、固体撮像素子を用いたビデオカメラ、デジタルスチルカメラ等の撮像装置（カメラ）は、小型化及び高機能化されている。そして撮像装置の小型化及び高機能化にともない、それに用いる撮像光学系には広い画角（撮影画角）を包含し、高ズーム比で高い光学性能を有した小型のズームレンズであることが求められている。
【０００３】
全系が小型で広画角、高ズーム比のズームレンズとして、負の屈折力のレンズ群が先行する（最も物体側に位置する）ネガティブリード型のズームレンズが知られている。ネガティブリード型のズームレンズとして、物体側より像側へ順に、負の屈折力の第１レンズ群、正の屈折力の第２レンズ群、正の屈折力の第３レンズ群より成る３群ズームレンズが知られている（特許文献１、２）。
【先行技術文献】
【特許文献】
【０００４】
【特許文献１】特開２００８−１５２１８９号公報
【特許文献２】特開２０１１−３３７７０号公報
【発明の概要】
【発明が解決しようとする課題】
【０００５】
近年、撮像装置に用いるズームレンズには、高ズーム比で、しかも全ズーム範囲にわたり高い光学性能を有することが強く要望されている。
【０００６】
一般にズームレンズにおいて、所定のズーム比を確保しつつ、全系の小型化を図るためには、ズームレンズを構成する各レンズ群の屈折力を強めつつ、レンズ枚数を削減すれば良い。しかしながら、このようにしたズームレンズは、各レンズ面の屈折力の増加に伴いレンズ肉厚が増してしまい、レンズ系の短縮効果が不十分になると同時に諸収差の発生が多くなり、高い光学性能を得るのが困難になってくる。また、全ズーム範囲にわたり高い光学性能を得るには、諸収差のうち、特に像面湾曲を少なくすることが重要になってくる。
【０００７】
全ズーム範囲に渡り平坦な像面特性を得るにはペッツバール和を小さく抑え像面湾曲を低減することが好ましい。そのためには正の屈折力のレンズ枚数を増加させて正の屈折力を複数の正レンズで分担する、もしくは正レンズの材料に高屈折率材料を用いるのが有効である。しかしながら正レンズの枚数を増やさずに正レンズの屈折力を強めて、全系の小型化を図ろうとすると、ペッツバール和が増大し像面湾曲の発生が増大する。特に高ズーム比化と全系の小型化を図ろうとすると平坦な像面特性を実現するのが大変難しくなる。
【０００８】
一方、前述したネガティブリード型のズームレンズは広画角化及び全系の小型化が有利であるが、開口絞りに対し、レンズ系全体が非対称となるため、ズーミングに伴う諸収差の変動が大きく全ズーム範囲にわたり高い光学性能を得るのが難しい。
【０００９】
ネガティブリード型のズームレンズにおいて、全ズーム範囲で画面全体にわたり高い光学性能を得るには、軸外光束のうちフレア光となる不要光を開口絞りや光束制限部材（フレアカット絞り）等で遮光するのが良い。しかしながら光束制限部材で軸外光束を遮光するとき、軸外光束をあまり多く遮光すると画面周辺光量の低下が多くなり、好ましくない。このため、光束制限部材で不要光をカットするときには、光束制限部材の光学配置、及びズーミングに伴って移動させるときはその移動条件等を適切に設定することが重要になってくる。
【００１０】
特許文献１では、第２レンズ群を４つのレンズより構成し、第３レンズ群の像側にフレアカット絞りを配置し、緒収差を良好に抑えつつ第２レンズ群の屈折力を強めて全系の小型化を図っている。特許文献２では、第２レンズ群の像側に開口絞りを配置し不要光を効果的に遮光して広画角化及び高ズーム比化を図っている。光束制限部材を用いてフレア光を効果的に遮光し、全ズーム範囲にわたり高い光学性能を得るには特にズーミングに際して光束制限部材を適切に移動することが重要であり、この構成が不適切であると全ズーム範囲にわたり高い光学性能を得るのが困難になる。
【００１１】
本発明は光束制限部材を適切に構成することにより、レンズ系全体がコンパクトで、広画角、高ズーム比で、全ズーム範囲で高い光学性能が得られるズームレンズ及びそれを有する撮像装置の提供を目的とする。
【課題を解決するための手段】
【００１２】
本発明のズームレンズは、物体側から像側へ順に、負の屈折力の第１レンズ群、正の屈折力の第２レンズ群、通過光束を制限する光束制限部材、正の屈折力の第３レンズ群からなり、広角端に比べ望遠端において、前記第１レンズ群と前記第２レンズ群との間隔が狭くなり、前記第２レンズ群と前記第３レンズ群との間隔が広くなるように各レンズ群が移動するズームレンズにおいて、広角端における前記第２レンズ群と前記光束制限部材との間隔をδ２ａｗ、全ズーム範囲における前記第２レンズ群と前記光束制限部材との間隔の最大値をδ２ａｉとするとき、
０．０１＜｜δ２ａｉ−δ２ａｗ｜／δ２ａｉ＜０．９９
なる条件式を満たすことを特徴としている。
【発明の効果】
【００１３】
本発明によれば、レンズ系全体がコンパクトで、広画角、高ズーム比で、全ズーム範囲で高い光学性能が得られるズームレンズが得られる。
【図面の簡単な説明】
【００１４】
【図１】（Ａ），（Ｂ），（Ｃ）  実施例１の広角端，中間のズーム位置，望遠端におけるレンズ断面図
【図２】（Ａ），（Ｂ），（Ｃ）  実施例１の広角端，中間のズーム位置，望遠端における収差図
【図３】（Ａ），（Ｂ），（Ｃ）  実施例２の広角端，中間のズーム位置，望遠端におけるレンズ断面図
【図４】（Ａ），（Ｂ），（Ｃ）  実施例２の広角端，中間のズーム位置，望遠端における収差図
【図５】（Ａ），（Ｂ），（Ｃ）  実施例３の広角端，中間のズーム位置，望遠端におけるレンズ断面図
【図６】（Ａ），（Ｂ），（Ｃ）  実施例３の広角端，中間のズーム位置，望遠端における収差図
【図７】本発明の撮像装置の要部概略図
【図８】本発明の撮像装置の要部概略図
【図９】本発明のズームレンズに係る光束制限部材で光束を制限するときの説明図
【発明を実施するための形態】
【００１５】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、通過光束を制限する光束制限部材、正の屈折力の第３レンズ群からなる。そして広角端（短焦点距離端）に比べ望遠端（長焦点距離端）において、第１レンズ群と第２レンズ群との間隔が狭く、第２レンズ群と第３レンズ群との間隔が広くなるように各レンズ群が移動する。光束制限部材はズーミングに際して他のレンズ群とは異なった移動軌跡で移動する。
【００１６】
図１（Ａ）、（Ｂ）、（Ｃ）は、それぞれ実施例１のズームレンズの広角端、中間のズーム位置、望遠端でのレンズ断面図である。図２（Ａ）、（Ｂ）、（Ｃ）はそれぞれ実施例１のズームレンズの広角端、中間焦点距離、望遠端における収差図である。実施例１はズーム比４．７４、開口比２．３７〜５．８０、広角端における撮影半画角４８．６度程度のズームレンズである。
【００１７】
図３（Ａ）、（Ｂ）、（Ｃ）は、それぞれ実施例２のズームレンズの広角端、中間のズーム位置、望遠端でのレンズ断面図である。図４（Ａ）、（Ｂ）、（Ｃ）はそれぞれ実施例２のズームレンズの広角端、中間焦点距離、望遠端における収差図である。実施例２はズーム比４．７９、開口比２．４８〜５．８０、広角端半画角４８．５度程度のズームレンズである。
【００１８】
図５（Ａ）、（Ｂ）、（Ｃ）は、それぞれ実施例３のズームレンズの広角端、中間のズーム位置、望遠端でのレンズ断面図である。図６（Ａ）、（Ｂ）、（Ｃ）はそれぞれ実施例３のズームレンズの広角端、中間焦点距離、望遠端における収差図である。実施例３はズーム比４．５６、開口比３．００〜７．００、広角端半画角４８．０度程度のズームレンズである。
【００１９】
図７，図８はそれぞれ本発明の撮像装置の要部概略図である。各実施例のズームレンズはビデオカメラやデジタルカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｂｉは第ｉレンズ群である。ＳＰはＦナンバー光束を制限する開口絞りである。Ｐは通過光束を制限する光束制限部材である。実施例１では光束制限部材Ｐは開口絞りＳＰを兼ねている。
【００２０】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２１】
収差図において、ｄ、ｇは各々ｄ線及びｇ線である。ΔＭ，ΔＳは各々メリディオナル像面、サジタル像面である。倍率色収差はｇ線によって表している。ωは半画角（度）、ＦｎｏはＦナンバーである。尚、以下の各実施例において広角端と望遠端は変倍用レンズ群が機構上光軸上を移動可能な範囲の両端に位置したときのズーム位置をいう。
【００２２】
各実施例のズームレンズは、物体側より像側へ順に、負の屈折力の第１レンズ群Ｂ１、正の屈折力の第２レンズ群Ｂ２、正の屈折力の第３レンズ群Ｂ３の３つのレンズ群から構成されている。広角端から望遠端へのズーミングに際してはレンズ断面図の矢印で示す如く、第１レンズ群Ｂ１が像側に凸状の軌跡で移動、第２レンズ群Ｂ２が物体側に移動し、第３レンズ群Ｂ３は像側に移動している。光束制限部材Ｐは他のレンズ群とは異なった軌跡で物体側へ移動する。実施例２，３において開口絞りＳＰは第２レンズ群Ｂ２と一体的に移動する。
【００２３】
各実施例のズームレンズは、第２レンズ群Ｂ２の移動により主な変倍を行い、第１レンズ群Ｂ１の像側に凸状の軌跡の移動によって変倍に伴う像面の移動を補正している。また、特に固体撮像素子等を用いた撮影装置に必要な像側のテレセントリックな結像を第３レンズ群Ｂ３にフィールドレンズの役割を持たせる事で達成している。
【００２４】
また、第２レンズ群Ｂ２の像側には光束制限部材Ｐを配置している。この光束制限部材Ｐは光学性能を劣化させる有害な光線（フレアー光）をカットしている。一般的に、ズーム全域を大口径化すると、軸上光線が大量に入射するが、同時に軸上光線が通過する高さまで軸外光線も入射する。光量が大量に入ってくる分、軸外光線の上線がコマフレアとなり光学性能に悪影響を与える。光束制限部材Ｐは、この軸外光線の上線をカットする。
【００２５】
各実施例において、広角端における第２レンズ群Ｂ２と光束制限部材Ｐとの間隔をδ２ａｗ、全ズーム範囲における第２レンズ群Ｂ２と光束制限部材Ｐとの間隔の最大値をδ２ａｉとする。このとき、
０．０１＜｜δ２ａｉ−δ２ａｗ｜／δ２ａｉ＜０．９９    ・・・（１）
なる条件式を満たしている。
【００２６】
条件式（１）は、第２レンズ群Ｂ２と光束制限部材Ｐとの位置関係を規定している。条件式（１）を満足することにより、軸外光束を制限し、画面周辺での開口効率を落とし、レンズ枚数の増加を避けつつ、高い結像性能を達成している。また、広角端での撮影画角９０度以上を達成しつつ、レンズ構成の簡素化及び全系の小型化を図っている。
【００２７】
各実施例の３群ズームレンズにおいて、第２レンズ群Ｂ２の像側に光束制限部材Ｐを配置し、光束制限部材Ｐが第２レンズ群Ｂ２と同じ軌跡でズーミングすると、ズーム中間域から望遠端にかけて、軸外光束は、第２レンズ群Ｂ２の光軸から離れた位置を通過する。そうすると第２レンズ群Ｂ２にて、球面収差と軸外光束に対してコマ収差の補正をすると、像面湾曲を良好に補正することが難しくなる。これに対して、開口比を大きく（暗く）すれば、球面収差の発生を抑え、軸外諸収差の発生を抑制することができる。しかしながら所望の明るさのＦナンバーを確保することが困難になる。
【００２８】
そこで各実施例では光束を制限する光束制限部材Ｐを第２レンズ群Ｂ２とは異なる軌跡でズーミングに際して移動することにより、所望の明るさのＦナンバーを確保しつつ、球面収差、コマ収差、そして像面湾曲を良好に補正している。
【００２９】
条件式（１）の上限を超えて、第２レンズ群Ｂ２と光束制限部材Ｐの間隔が大きくなると、光束制限部材Ｐの有効径が増大してくるので、好ましくない。また、広画角化を図った際、最も物体側のレンズから光束制限部材Ｐまでの距離が長くなり、前玉有効径が大型化し、広画角化と全系の小型化を図るのが困難となる。
【００３０】
条件式（１）の下限を超えて、第２レンズ群Ｂ２と光束制限部材Ｐの間隔が小さくなると、光束制限部材Ｐによる軸外光束のフレア成分のカット効果が小さくなる。そうすると軸外光束のフレア成分の軽減効果、各波長毎に生じるコマ収差の変動（色コマ収差）による色収差の軽減効果が不十分となる。また第２レンズ群Ｂ２と光束制限部材Ｐの間隔がズーム中間域であまり変化しないため、高ズーム比化を図った際にコマ収差が増大する。これを補正するために、望遠端における光学全長（第１レンズ面から最終レンズ面までの長さ）が増大し、全系の小型化が困難になる。
【００３１】
本発明のズームレンズでは、所定のズーム比を確保しつつ、全系の小型化を図るため、物体側から像側へ順に、負、正、正の屈折力のレンズ群よりなる３群ズームレンズにより構成している。また、各レンズ群のパワー配置（屈折力配置）を適正化し、全ズーム範囲にわたり高い光学性能を得ている。所定のズーム比を確保しつつ、諸収差を良好に補正するために、第２レンズ群Ｂ２の像側に光束を制限する光束制限部材Ｐを配置している。
【００３２】
ここで光束制限部材Ｐは、入射光束を制限する遮光部材や開口絞り、光束を遮る状態と光束を通過可能な状態とに駆動可能なシャッター装置などからなり、開口絞りと別に設けた不要光（フレア）をカットするためのフレアカット絞りとは異なる特性を有す。具体的には、光束制限部材Ｐが光束を制限した（口径を小さくした）際、軸外光線の上下線の通過量の偏り（所謂片絞り）が生じず、画面周辺光量を極端に不足させない特性を有する。
【００３３】
第１レンズ群Ｂ１を負の屈折力として負先行型の屈折力配置とすることで広画角化を図った際に増大する前玉有効径の小型化を図っている。また、正の屈折力の第２レンズ群Ｂ２を主変倍レンズ群とし、所定のズーム比を確保している。さらに第３レンズ群Ｂ３を正の屈折力として射出瞳を像面から十分に遠ざけ、固体撮像素子に入射する光束の入射角度を緩めつつ必要な長さのバックフォーカスを確保している。これにより固体撮像素子上でおこるシェーディングの発生を低減している。
【００３４】
各実施例のズームレンズは、広角端から望遠端へのズーミングに際して、第１レンズ群Ｂ１は広角端のズーム位置から中間のズーム位置までは像側へ移動し、中間のズーム位置から望遠端のズーム位置までは物体側へ移動する。即ち像側に凸状の軌跡の一部を有するように移動する。第２レンズ群Ｂ２は物体側に移動し変倍を行い、第３レンズ群Ｂ３は像側へ移動している。ズーミングに際し、光束制限部材Ｐは第２レンズ群Ｂ２と異なる軌跡で移動する。
【００３５】
また、フォーカシングは第３レンズ群Ｂ３により行う。これにより移動レンズ群の数を少なくし、駆動に伴うメカ構成を簡素化して鏡筒の小型化を図っている。また、第３レンズ群Ｂ３を正の屈折力とすることで、第３レンズ群Ｂ３にフィールドレンズの役割を持たせ、特に固体撮像素子等を用いた撮影装置に必要な像側のテレセントリック性を良好にしている。
【００３６】
第１レンズ群Ｂ１は、最も物体側に、像側のレンズ面の曲率が物体側に比べて大きい（曲率半径が小さい）負レンズＧ１１を配置している。第１レンズ群Ｂ１は、軸外主光線を光束制限部材Ｐの中心に瞳結像させる役割を持っており、特に広角側においては軸外主光線の屈折量が大きいために軸外諸収差、特に非点収差と歪曲収差が発生し易い。
【００３７】
そこで各実施例では、通常の広画角レンズと同様、最も物体側のレンズ有効径の増大が抑えられるために負レンズＧ１１を配置している。さらに、負レンズＧ１１がレンズ周辺でレンズ中心に比べて負の屈折力が弱くなる形状の非球面を有することにより、非点収差と歪曲収差をバランス良く補正し、全系のコンパクト化を図っている。
【００３８】
各実施例では、色収差を良好に補正しつつ、ズーミングの際の像面湾曲の変動を良好に補正し、全系のコンパクト化を達成するために、第１レンズ群Ｂ１を正レンズＧ１１と負レンズＧ１２の２枚で構成している。第２レンズ群Ｂ２は、像側に比べ物体側のレンズ面の屈折力が大きい物体側のレンズ面が凸形状の正レンズＧ２１を最も物体側に配置している。これにより、第１レンズ群Ｂ１を射出した軸外主光線の屈折角を少なくし、軸外収差の発生を抑制している。
【００３９】
また、正レンズＧ２１は、軸上光線の通る入射高さが最も高いレンズであり、主に球面収差、コマ収差の補正に関与しているレンズである。そこで各実施例では、正レンズＧ２１がレンズ周辺でレンズ中心に比べて正の屈折力が弱くなる形状の非球面を有することにより球面収差、コマ収差を良好に補正している。
【００４０】
第３レンズ群Ｂ３は、メニスカス形状又は両凸形状の正レンズＧ３１より構成し、像側のテレセントリック性を良好にするためのフィールドレンズとしての役割を有している。射出瞳を像面から十分に遠ざけ、固体撮像素子に入射する光束の入射角度を緩め、固体撮像素子上でおこるシェーディングを低減している。
【００４１】
各実施例において更に好ましくは次の条件式のうち１以上を満足するのが良い。広角端におけるレンズ全長（第１レンズ面から像面までの空気換算距離（フィルター等の光学部材を除去したときの距離））をＴＤｗ、望遠端におけるレンズ全長をＴＤｔとする。広角端における光束制限部材Ｐから像面までの空気換算距離をＬａｗとする。広角端から望遠端へのズーミングにおける第２レンズ群Ｂ２の移動量をｍ２、広角端から望遠端へのズーミングにおける光束制限部材Ｐの移動量をｍａとする。移動量の符号は像側への移動するときを正、物体側に移動するときを負とする。
【００４２】
第１レンズ群Ｂ１の焦点距離をｆ１、第２レンズ群Ｂ２の焦点距離をｆ２、広角端における全系の焦点距離をｆｗとする。第３レンズ群Ｂ３は１つの正レンズＧ３１で構成され、正レンズＧ３１の物体側と像側のレンズ面の曲率半径を各々Ｒ３ａ，Ｒ３ｂとする。第１レンズ群Ｂ１は物体側より像側へ順に、負レンズＧ１１、正レンズＧ１２からなり、負レンズＧ１１の焦点距離をｆ１１、正レンズＧ１２の焦点距離をｆ１２とする。
【００４３】
望遠端における第２レンズ群Ｂ２の最も物体側のレンズの物体側のレンズ面から像面までの空気換算距離をＬ２ｔ、望遠端における光束制限部材Ｐから像面までの空気換算距離をＬａｔとする。このとき、次の条件式のうち１以上を満足するのが良い。
【００４４】
０．１＜Ｌａｗ／ＴＤｗ＜０．３                ・・・（２）
０．６０＜ｍａ／ｍ２＜０．９５                ・・・（３）
０．４＜√（｜ｆ１｜×ｆｗ）／ｆ２＜０．８    ・・・（４）
０．７＜｜ｆ１｜／ｆ２＜１．１                ・・・（５）
−０．５＜（Ｒ３ａ＋Ｒ３ｂ）／（Ｒ３ａ−Ｒ３ｂ）＜１．０    ・・・（６）
０．２＜｜ｆ１１｜／ｆ１２＜０．５            ・・・（７）
０．０１＜（Ｌ２ｔ−Ｌａｔ）／ＴＤｔ＜０．５０・・・（８）
【００４５】
条件式（２）は、広角端における光束制限部材Ｐから像面位置までの空気換算距離を広角端におけるレンズ全長で規定したものである。条件式（２）の上限を超えると光束制限部材Ｐより後方（像側）のレンズ群の画面周辺に入射する画面周辺光束の光軸からの距離変化が大きくなる。この結果、画面周辺光束の収差を良好に補正するためには、レンズ枚数を増加しなければならず、全系が大型化してくる。また下限を超えると、広角端側において第１レンズ群Ｂ１に入射する軸外光束が光軸から離れ、第１レンズ群Ｂ１の径方向が増大し、全系が大型化してくる。
【００４６】
条件式（３）は、ズーミングに伴う光束制限部材Ｐの移動量を第２レンズ群Ｂ２の移動量で規定している。条件式（３）は広角端から望遠端までのズーム領域全域においてフレア光を効果的にカットし、高性能化と全系の小型化を図るためのものである。
【００４７】
図９は各実施例において、フレア光を効果的にカットするための模式的な説明図である。図９においてＰは、光束制限部材であり、軸上光束Ｌａを制限することなく、軸外光線Ｌｂの上線を抑制している。全系の小型化を図るために、第２レンズ群Ｂ２の屈折力を強めた際、ズーム中間域から望遠側のズーム域にて、コマ収差、像面湾曲が多く発生してくる。
【００４８】
各実施例では、光束制限部材Ｐにより、軸外光束を効果的にカットして、コマ収差、像面湾曲の発生を低減して、広画角化と高ズーム比化を図っている。
【００４９】
条件式（３）の上限を超えて、第２レンズ群Ｂ２の移動量が小さくなると、レンズ全長の短縮は容易になるが、所定のズーム比を実現するために第２レンズ群Ｂ２の屈折力を大きくする必要がある。そうすると、望遠側において球面収差やコマ収差が増大し、これらの諸収差の補正が困難となる。条件式（３）の下限を超えて、光束制限部材Ｐの移動量が小さくなると、ズーム中間域から望遠側において軸外光束を効果的にカットすることが困難になる。
【００５０】
条件式（４）は、第１レンズ群Ｂ１の焦点距離と広角端における全系の焦点距離の積を第２レンズ群Ｂ２の焦点距離で規定している。条件式（４）は全系の小型化と広画角化を図るためのものである。条件式（４）の上限を超えると、ズーミングの際の第２レンズ群Ｂ２の移動量が増大し、レンズ全長が増大してくる。
【００５１】
条件式（４）の下限を超えると、第１レンズ群Ｂ１の負の屈折力が大きくなり、第１レンズ群Ｂ１からの光束が大きく発散する。このとき発散した光束を第２レンズ群Ｂ２および第３レンズ群Ｂ３で収束させるため、第２レンズ群Ｂ２の屈折力を強くしなければならず、この結果第２レンズ群Ｂ２より球面収差が多く発生してくるので良くない。
【００５２】
条件式（５）は、第１レンズ群Ｂ１の焦点距離を第２レンズ群Ｂ２の焦点距離で規定している。第１レンズ群Ｂ１の屈折力をある程度強めることで広画角化を図るためのものである。また、第２レンズ群Ｂ２の屈折力をある程度強め、ズーミングに際して第２レンズ群Ｂ２の移動量を減らし、望遠端においてレンズ全長の短縮を図り、全系の小型化を図るためのものである。
【００５３】
条件式（５）の上限を超えて、第２レンズ群Ｂ２の屈折力が大きくなると、望遠側において球面収差が多く発生し、特に各波長毎に生じる球面収差の変動（色の球面収差）による色収差が増大してくる。また条件式（５）の下限を超えて、第１レンズ群Ｂ１の負の屈折力が大きくなると、広角端において非点収差が増大し、これを補正するのが困難になる。
【００５４】
条件式（６）は第３レンズ群Ｂ３の正レンズＧ３１のレンズ形状（シェープファクター）を規定する。条件式（６）は、主に高ズーム比化、全系の小型化、高性能化を図るためのものである。
【００５５】
条件式（６）の上限を超えると、望遠側においてコマ収差が増大し、このコマ収差を補正するのが困難となる。また、ズーミングに伴う歪曲収差のズーム変動を抑制することが難しくなる。また、第３レンズ群Ｂ３にてフォーカスを行った場合、無限遠物体から近距離物体に至る物体距離全般にわたり高い光学性能を得ることが難しくなる。条件式（６）の下限を超えると、広角側において像面湾曲、望遠側において歪曲収差が増大し、これらの諸収差の補正が困難になる。
【００５６】
色収差を良好に保ちつつ、ズーミングに際しての像面湾曲の変動を良好に補正し、全系のコンパクト化を図るためには、第１レンズ群Ｂ１を１つの負レンズと、１つの正レンズで構成することが望ましい。
【００５７】
条件式（７）は、第１レンズ群Ｂ１の負レンズＧ１１の焦点距離と正レンズＧ１２の焦点距離の比を規定している。条件式（７）は主に、像面湾曲を良好に抑えつつ、広画角化を図るためのものである。条件式（７）の上限を超えて、正レンズＧ１２の屈折力が大きくなると、レンズ全長を短縮することが困難になる。条件式（７）の下限を超えて、負レンズＧ１１の屈折力が大きくなると、広画角化を図るのは容易となるが、広角側において像面湾曲が増大し、この補正が難しくなる。
【００５８】
条件式（８）は第２レンズ群Ｂ２と光束制限部材Ｐの間隔に関して、望遠端におけるレンズ全長で規定している。条件式（８）の上限を超えて、望遠端において光束制限部材Ｐと第２レンズ群Ｂ２の間隔が広がると、第２レンズ群Ｂ２のレンズ外径が大きくなり好ましくない。条件式（８）の下限を超えて、望遠端において光束制限部材Ｐと第２レンズ群Ｂ２の間隔が狭まると射出瞳を像面から遠ざける作用が強まるがフレア光のカットが不十分となり、諸収差の補正が困難になる。
【００５９】
本発明のズームレンズを用いた撮像装置では、歪曲収差と倍率色収差のうち少なくとも一方を電気的に補正する回路とを備える構成とするのが良い。
【００６０】
このようにズームレンズの歪曲収差を許容することのできる構成にすれば、ズームレンズのレンズ枚数の削減や全系の小型化が容易になる。また、倍率色収差を電気的に補正することにより、撮影画像の色にじみを軽減し、また、解像力の向上を図ることが容易になる。また、第３レンズ群Ｂ３は少なくとも１つの非球面を有することが望ましい。
【００６１】
広角端において像面湾曲を小さくし、ズーミングによる歪曲収差の変動を抑制するためには、非球面を有することが望ましい。実施例１乃至３では、第３レンズ群Ｂ３の正レンズＧ３１の少なくとも一方のレンズ面を非球面形状にすることにより、正レンズＧ３１の収差を更に低く抑えている。すなわち、正レンズＧ３１の基準球面により発生する収差とは逆の収差を非球面により発生させることにより、基準球面による収差と非球面による収差とバランスさせている。
【００６２】
各実施例において、更に好ましくは条件式（１）乃至（８）の数値範囲を次の如く設定するのが好ましい。
【００６３】
０．２０＜｜δ２ａｉ−δ２ａｗ｜／δ２ａｉ＜０．９５  ・・・（１ａ）
０．２＜Ｌａｗ／ＴＤｗ＜０．３                        ・・・（２ａ）
０．７＜ｍａ／ｍ２＜０．９                            ・・・（３ａ）
０．５＜√（｜ｆ１｜×ｆｗ）／ｆ２＜０．７            ・・・（４ａ）
０．８＜｜ｆ１｜／ｆ２＜１．１                        ・・・（５ａ）
−０．４＜（Ｒ３ａ＋Ｒ３ｂ）／（Ｒ３ａ−Ｒ３ｂ）＜０．８    ・・・（６ａ）
０．２５＜｜ｆ１１｜／ｆ１２＜０．４０                ・・・（７ａ）
０．０５＜（Ｌ２ｔ−Ｌａｔ）／ＴＤｔ＜０．３０        ・・・（８ａ）
【００６４】
条件式（１ａ）を満たすことにより、レンズ系全体の小型化を図りつつ、広画角化と高性能化を達成することが更に容易になり、より好ましい。条件式（２ａ）を満たすことにより、広角端にて画面周辺光束をより効果的に制限できるため好ましい。条件式（３ａ）を満たすことにより、ズーム中間域から望遠端までのズーム領域において、より効果的なフレアカットが容易になり、好ましい。条件式（４ａ）を満たすことにより、全系の小型化を図りながら広角側において高次の像面湾曲、球面収差、コマ収差を全て良好に補正することが容易になり、より好ましい。
【００６５】
条件式（５ａ）を満たすことにより、高ズーム比化を図りつつ、全系の小型化と高性能化がより容易になる。条件式（６ａ）を満たすことにより、ズーム中間域から望遠端での正の歪曲収差を抑えることが、より容易になる。条件式（７ａ）を満たすことにより、ズーミングに際しての像面湾曲の変動の抑制と小型化がより容易になる。条件式（８ａ）を満たすことにより、高性能化と第２レンズ群Ｂ２のレンズ外径の小型化がより容易になる。さらに、好ましくは条件式（１ａ）乃至（８ａ）の数値範囲を次の如く設定するのが良い。
【００６６】
０．４５＜｜δ２ａｉ−δ２ａｗ｜／δ２ａｉ＜０．９３    ・・・（１ｂ）
０．２３＜Ｌａｗ／ＴＤｗ＜０．２７                      ・・・（２ｂ）
０．７５＜ｍａ／ｍ２＜０．９０                          ・・・（３ｂ）
０．５５＜√（｜ｆ１｜×ｆｗ）／ｆ２＜０．６５          ・・・（４ｂ）
０．９＜｜ｆ１｜／ｆ２＜１．１                          ・・・（５ｂ）
−０．３５＜（Ｒ３ａ＋Ｒ３ｂ）／（Ｒ３ａ−Ｒ３ｂ）＜０．７０・・・（６ｂ）
０．３０＜｜ｆ１１｜／ｆ１２＜０．３５                  ・・・（７ｂ）
０．０７＜（Ｌ２ｔ−Ｌａｔ）／ＴＤｔ＜０．１５          ・・・（８ｂ）
【００６７】
以上のように各実施例によれば、球面収差、コマ収差、像面湾曲などの諸収差を良好に補正した、ズーム比４以上で広画角かつレンズ系全体が小型で高い光学性能のズームレンズが得られる。
【００６８】
実施例１乃至３では、第１レンズ群Ｂ１に非球面レンズを採用することにより、広角端における像面湾曲を良好に補正している。また、第２レンズ群Ｂ２に非球面レンズを採用することにより、所定の明るさを確保しつつ、広角側において球面収差やコマ収差を良好に補正している。実施例１乃至３においては任意のレンズ群を光軸と垂直方向の成分を持つ方向に移動させて結像位置を光軸に対し垂直方向に移動させて手ぶれ補正を行っても良い。
【００６９】
次に本発明のズームレンズを撮影光学系として用いた撮像装置としてのデジタルビデオカメラの実施例を図７を用いて説明する。図７において、１０はカメラ本体、１１は実施例１乃至３で説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。１３は液晶ディスプレイ等によって構成され、固体撮像素子１２上に形成された被写体像を観察するためのファインダである。
【００７０】
また、本発明のズームレンズを撮影光学系として用いた撮像装置としてのデジタルスチルカメラの実施例を図８を用いて説明する。
【００７１】
図８において、２０はカメラ本体、２１は実施例１乃至３で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。
【００７２】
このように本発明のズームレンズをデジタルスチルカメラやビデオカメラ等の撮像装置に適用することにより、小型で高い光学性能を有する撮像装置が実現できる。尚、各実施例のズームレンズは投射装置（プロジェクタ）用の投射光学系として用いることもできる。
【００７３】
次に、本発明の実施例１〜３に対応する数値実施例１〜３を示す。各数値実施例において、ｉは物体からの面の順番を示す。ｒｉはレンズ面の曲率半径、ｄｉは第ｉ面と第ｉ＋１面との間の面を示す。ｎｄｉ、νｄｉはそれぞれｄ線を基準とした第ｉ番目の光学部材の屈折率と、アッベ数である。非球面形状は光軸からの高さｈの位置での光軸方向の変位を面頂点を基準にしてｘとするとき、
x＝（ｈ2／Ｒ）／[１+{１−(１+K)(ｈ/Ｒ)2}1/2]＋A4ｈ4＋A6ｈ6＋A8ｈ8＋A10ｈ10
で表される。
【００７４】
但し、Kは円錐定数、A4、A6、A8、A10は4次、6次、8次、10次の非球面係数、Ｒは近軸曲率半径である。又、「ｅ−Ｘ」は「×１０−X」を意味している。又、前述の各条件式と各数値実施例との関係を表１に示す。数値実施例２，３において間隔ｄ５の値が負となっているのは開口絞りＳＰ、第２レンズ群Ｂ２の順に数えたためである。
【００７５】
［数値実施例１］
単位 mm
面データ
面番号       r        d      nd         νd
1*      5192.584    0.70   1.85135    40.1           
2*         4.738    2.47                             
3         10.564    1.31   2.14352    17.8           
4         19.933  (可変)                             
5*         6.215    1.52   1.82080    42.7           
6*      -131.152    0.20                             
7          8.541    0.80   1.48749    70.2           
8         18.514    0.50   1.92286    20.9           
9          4.834    1.65                             
10        -19.738    0.87   1.49700    81.5           
11         -6.451  (可変)                             
12(P)       ∞     (可変)                             
13         42.991    1.52   1.55332    71.7           
14*       -17.850  (可変)                             
15          ∞       0.80   1.51633    64.1           
16          ∞       0.50                             
像面        ∞   
非球面データ
第1面
K =-2.52890e+008  A 4=-1.44681e-004  A 6= 2.56273e-006 
A 8=-2.85100e-008  A10= 8.30706e-011  
第2面
K =-1.59789e+000  A 4= 7.56802e-004  A 6=-1.44796e-005 
A 8= 4.11309e-007  A10=-6.67356e-009  
第5面
K =-3.35594e-001  A 4=-6.21244e-005  A 6= 5.15397e-006 
A 8=-7.76989e-007  A10= 6.06531e-008  
第6面
K = 8.77898e+001  A 4= 5.44453e-004  A 6=-1.02429e-006  
第14面
K =-1.15903e+000  A 4= 3.34298e-004  A 6=-1.20220e-005 
A 8= 3.51212e-007  
各種データ
ズーム比      4.74 
広角     中間     望遠
焦点距離       3.67    10.45    17.43  
Fナンバー      2.37     4.05     5.80  
半画角（度）  48.6     20.4     12.3  
像高           3.30     3.88     3.88  
レンズ全長    36.74    33.06    39.63  
BF             4.72     4.47     4.22  
d 4           16.72     3.62     0.78  
d11            0.35     2.44     4.52  
d12            3.40    10.98    18.56  
d14            3.69     3.44     3.19  
ズームレンズ群データ
群  始面    焦点距離  
1    1      -9.36  
2    5      10.21  
3   12       ∞    
4   13      23.00  
5   15       ∞    
【００７６】
［数値実施例２］
単位 mm
面データ
面番号       r        d      nd         νd
1*         ∞       0.70   1.85135    40.1           
2*         4.981    2.47                             
3         10.950    1.54   2.14352    17.8           
4         20.578  (可変)                             
5          ∞      -0.30                             
6*         6.122    1.56   1.82080    42.7           
7*      -120.006    0.20                             
8          8.053    0.83   1.48749    70.2           
9         17.521    0.50   1.92286    20.9           
10          4.712    0.77                             
11        -12.164    1.21   1.49700    81.5           
12         -5.907  (可変)                             
13(P)       ∞     (可変)                             
14         18.358    1.65   1.55332    71.7           
15*       -34.972  (可変)                             
16          ∞       0.80   1.51633    64.1           
17          ∞       0.50                             
像面        ∞   
非球面データ
第1面
K =-2.52890e+008  A 4=-7.30527e-005  A 6= 1.87758e-006 
A 8=-2.85100e-008  A10= 8.30706e-011  
第2面
K =-1.63387e+000  A 4= 7.25040e-004  A 6=-7.03149e-006 
A 8= 2.04085e-007  A10=-5.21639e-009  
第6面
K =-3.06226e-001  A 4=-9.32252e-005  A 6=-1.35185e-005 
A 8=-2.58326e-007  A10=-1.91906e-008  
第7面
K =-1.44358e+002  A 4= 5.77218e-004  A 6=-2.65546e-005  
第15面
K =-5.56094e+001  A 4= 2.53698e-004  A 6=-1.92214e-005 
A 8= 4.89317e-007  
各種データ
ズーム比      4.79 
広角     中間     望遠
焦点距離       3.65    10.46    17.48  
Fナンバー      2.48     4.11     5.80  
半画角（度）  48.5     20.4     12.3  
像高           3.30     3.88     3.88  
レンズ全長    36.92    32.69    38.99  
BF             4.45     4.20     3.95  
d 4           17.45     4.04     1.15  
d12            0.48     1.65     2.82  
d13            3.40    11.66    19.92  
d15            3.42     3.17     2.92  
ズームレンズ群データ
群  始面    焦点距離  
1    1      -9.77  
2    5      10.12  
3   13       ∞    
4   14      22.00  
5   16       ∞    
【００７７】
［数値実施例３］
単位 mm
面データ
面番号       r        d      nd         νd
1*         ∞       0.70   1.85135    40.1           
2*         5.412    2.47                             
3         10.066    1.71   2.14352    17.8           
4         16.190  (可変)                             
5          ∞      -0.20                             
6*         5.867    1.64   1.49710    81.6           
7*        -8.607    0.15                             
8         25.542    1.77   1.91082    35.3           
9         -3.450    0.45   1.68893    31.2           
10*         4.205  (可変)                             
11(P)       ∞     (可変)                             
12         59.545    1.33   1.55332    71.7           
13*       -10.936  (可変)                             
14          ∞       0.80   1.51633    64.1           
15          ∞       0.36                             
像面        ∞   
非球面データ
第1面
K =-2.52890e+008  A 4=-1.20236e-004  A 6= 2.58922e-006 
A 8=-2.85100e-008  A10= 8.30706e-011  
第2面
K =-1.68754e+000  A 4= 6.88547e-004  A 6=-8.26037e-006 
A 8= 3.27341e-007  A10=-5.19812e-009  
第6面
K =-1.03851e+000  A 4=-2.18454e-003  A 6=-1.10264e-004 
A 8=-1.92871e-005  
第7面
K = 4.36807e+000  A 4= 1.20860e-003  A 6=-3.27060e-005  
第10面
K = 5.48955e-001  A 4=-2.01862e-004  
第13面
K = 2.28003e+000  A 4= 8.63629e-004  A 6=-1.34888e-005 
A 8= 5.10084e-007  
各種データ
ズーム比      4.56 
広角     中間     望遠
焦点距離       3.66    10.04    16.68  
Fナンバー      3.00     4.97     7.00  
半画角（度）  48.0     21.1     12.9  
像高           3.15     3.88     3.88  
レンズ全長    35.74    30.64    35.38  
BF             3.82     3.57     3.32  
d 4           17.00     4.23     1.32  
d10            1.50     1.57     3.14  
d11            3.40    11.24    17.58  
d13            2.93     2.68     2.43  
ズームレンズ群データ
群  始面    焦点距離  
1    1     -10.25  
2    5       9.48  
3   11       ∞    
4   12      16.81  
5   14       ∞    
【００７８】
【表１】
2014134702.tif 000003
【符号の説明】
【００７９】
Ｂ１…第１レンズ群        Ｂ２…第２レンズ群        Ｂ３…第３レンズ群
Ｐ…光束制限部材
【図１】
2014134702.tif 000004
【図２】
2014134702.tif 000005
【図３】
2014134702.tif 000006
【図４】
2014134702.tif 000007
【図５】
2014134702.tif 000008
【図６】
2014134702.tif 000009
【図７】
2014134702.tif 000010
【図８】
2014134702.tif 000011
【図９】
2014134702.tif 000012